(57)【要約】【課題】屋根ユニットを用いて構築された天窓付きの屋根において、建築現場での作業負担を低減し、しかも、屋根ユニットを好適に運搬する。【解決手段】屋根１３には屋根開口部１９が形成されており、この屋根開口部１９に天窓枠２０が設けられている。屋根１３は複数の屋根ユニット２１を有しており、屋根ユニット２１は屋根フレーム２２と屋根面部２３とを有している。屋根面部２３には、屋根開口部１９を形成する非設置領域２４が設けられており、非設置領域２４に天窓枠２０が設けられている。天窓枠２０は、上方から非設置領域２４に入り込んだ状態で設置されており、屋根面部２３から上方に突出した突出位置に配置されている。屋根ユニット２１には、天窓枠２０を昇降させることが可能な昇降装置が設けられており、天窓枠２０は、昇降装置により昇降することで、突出位置とその突出位置より低い収納位置とに移動可能になっている。【選択図】      図１
2015151742.tif 000002
【特許請求の範囲】
【請求項１】
建物本体の上に設けられることで屋根を形成した屋根ユニットを備えている建物の屋根構造であって、
前記屋根ユニットは、直方体状の屋根フレームと、前記屋根フレームの上に設けられた屋根面材とを有しており、
前記屋根フレームの上には、前記屋根面材が設置されていない非設置領域が形成されており、
前記非設置領域は、当該非設置領域に天窓枠が設けられていることで天窓を形成しており、
前記天窓枠は、前記屋根面材よりも上方に突出した突出位置に保持されている一方で、該突出位置に保持されていない状態では、前記突出位置よりも低い収納位置に移動可能であり、
前記突出位置及び前記収納位置への前記天窓枠の移動を案内する案内手段が設けられていることを特徴とする建物の屋根構造。
【請求項２】
前記案内手段は、
前記天窓枠を所定位置で保持する保持部を有しており、該保持部が前記天窓枠を前記収納位置で保持する収納状態と、同保持部が前記天窓枠を前記収納位置とは異なる位置で保持する非収納状態とに移行可能であることを特徴とする請求項１に記載の建物の屋根構造。
【請求項３】
前記案内手段の前記非収納状態には、前記保持部が前記天窓枠を前記突出位置で保持する突出状態が含まれていることを特徴とする請求項２に記載の建物の屋根構造。
【請求項４】
前記案内手段として、前記突出位置及び前記収納位置への前記天窓枠の移動方向に沿って延び、径方向に沿って外側に突出した歯部を前記保持部として有するウォームが設けられており、
前記天窓枠には、前記ウォームの前記歯部に噛み合っている噛み合い部が設けられており、
前記天窓枠は、前記ウォームの回転に伴って前記噛み合い部が昇降することで、前記突出位置又は前記収納位置に移動するものであることを特徴とする請求項２又は３に記載の建物の屋根構造。
【請求項５】
前記案内手段は、
前記突出位置及び前記収納位置への前記天窓枠の移動方向に沿って延びている案内部材と、
前記保持部として、前記天窓枠の下方位置に少なくとも一部が配置されることで該天窓枠を下方から支持することが可能な支持状態と、前記天窓枠の下方位置から退避することで前記天窓枠の移動を許可する許可状態とに移行可能な支持部材と、
を有しており、
前記支持部材は、前記天窓枠が上方に向けて移動する場合に該天窓枠により下方から押し上げられることで前記支持状態から前記許可状態に移行し、同天窓枠が当該支持部材よりも高い位置に移動することで前記許可状態から前記支持状態に移行するものであり、
前記支持部材として、
前記天窓枠が前記収納位置にある場合に該天窓枠を前記支持状態で支持する下側支持部材と、
前記下側支持部材より高い位置において、前記天窓枠が前記突出位置にある場合に該天窓枠を前記支持状態で支持する上側支持部材と、
が設けられていることを特徴とする請求項２又は３に記載の建物の屋根構造。
【請求項６】
前記案内手段は、前記天窓枠の外周側に設けられ、前記突出位置及び前記収納位置への前記天窓枠の移動方向に沿って延びており、
前記屋根面材には、前記案内手段に対する作業を可能とする作業用開口部が、上下方向において前記案内手段に並ぶ位置に設けられていることを特徴とする請求項１乃至５のいずれか１項に記載の建物の屋根構造。
【請求項７】
前記屋根面材として、山部と谷部とが隣り合う折板屋根を形成する折板材が設けられており、
前記折板材の前記谷部においては、前記天窓枠側の端部が上方に向けて折り上げられていることで、前記天窓枠から遠ざかる側に向けて凹んだ折り上げ凹部が形成されており、
前記折り上げ凹部の内周面と前記天窓枠の外周面とで囲まれた領域が前記作業用開口部を形成していることを特徴とする請求項６に記載の建物の屋根構造。
【請求項８】
前記折り上げ凹部を跨いで前記折板材と前記天窓枠とに掛け渡された防水部材を備え、
前記案内手段は、前記防水部材により上方から覆われていることを特徴とする請求項７に記載の建物の屋根構造。
【請求項９】
前記屋根ユニットは、横並びに複数設けられており、
前記屋根においては、前記複数の屋根ユニットの各非設置領域が接続されることで屋根開口部が形成されており、
隣り合う前記屋根ユニットの各非設置領域に設けられた前記天窓枠は、互いに連結されていることを特徴とする請求項１乃至８のいずれか１項に記載の建物の屋根構造。
【発明の詳細な説明】
【技術分野】
【０００１】
本発明は、建物の屋根構造に関するものである。
【背景技術】
【０００２】
住宅等の建物においては、太陽光等の自然光の取り込みを可能とする天窓が屋根に設けられていることがある。例えば、折板屋根等を形成する屋根面材に開口部が設けられ、その開口部に窓サッシが設けられることで天窓が形成された構成がある（例えば特許文献１参照）。この構成では、窓サッシが天窓枠とその天窓枠に嵌め込まれたガラス板等の板材とを有し、天窓枠が屋根面材の上に設置されている。
【先行技術文献】
【特許文献】
【０００３】
【特許文献１】特開２０１２−２０７４２８号公報
【発明の概要】
【発明が解決しようとする課題】
【０００４】
ところで、コンビニエンスストアといった中規模店舗等を構成する建物において、建物構造の工業化を図ることを目的として、屋根面材を有する屋根ユニットを工場で製造し、その屋根ユニットをトラック等で建築現場に運搬し、建築現場において複数の屋根ユニットを建物本体の上に設置することで屋根を構築する技術がある。
【０００５】
ここで、屋根に天窓が設置された建物については、工場にて天窓枠を屋根ユニットに取り付け、屋根ユニットを天窓枠ごと建築現場に運搬することで、天窓枠を屋根ユニットに取り付ける手間を建築現場において省くことができる。
【０００６】
しかしながら、屋根面材の上に天窓枠が設置された構成では、天窓枠が屋根ユニットから上方に向けて突出した状態になっていることで、屋根ユニットの運搬に際して天窓枠が支障になることが懸念される。例えば、天窓枠が邪魔になって屋根ユニットをトラックに適正に積むことができず、天窓枠や屋根ユニットが変形したり破損したりするということが懸念される。
【０００７】
本発明は、上記事情に鑑みてなされたものであり、屋根ユニットを用いて構築された天窓付きの屋根において、建築現場での作業負担を低減し、しかも、屋根ユニットを好適に運搬することを主たる目的とするものである。
【課題を解決するための手段】
【０００８】
以下、上記課題を解決するのに有効な手段等につき、必要に応じて作用、効果等を示しつつ説明する。なお、以下においては、理解の容易のため、発明の実施の形態において対応する構成を括弧書き等で適宜示すが、この括弧書き等で示した具体的構成に限定されるものではない。
【０００９】
第１の発明の建物の屋根構造は、建物本体（建物本体１２）の上に設けられることで屋根を形成した屋根ユニット（屋根ユニット２１）を備えている建物の屋根構造であって、前記屋根ユニットは、直方体状の屋根フレーム（屋根フレーム２２）と、前記屋根フレームの上に設けられた屋根面材（第１屋根面材４５、第２屋根面材４６）とを有しており、前記屋根フレームの上には、前記屋根面材が設置されていない非設置領域（非設置領域２４）が形成されており、前記非設置領域は、当該非設置領域に天窓枠（天窓枠２０）が設けられていることで天窓（天窓１８）を形成しており、前記天窓枠は、前記屋根面材よりも上方に突出した突出位置（突出位置Ｎ１）に保持されている一方で、該突出位置に保持されていない状態では、前記突出位置よりも低い収納位置（収納位置Ｎ２）に移動可能であり、前記突出位置及び前記収納位置への前記天窓枠の移動を案内する案内手段（ウォーム５２、案内ユニット６６）が設けられていることを特徴とする。
【００１０】
第１の発明によれば、屋根ユニットにおいて天窓枠が収納位置に移動可能になっているため、工場で天窓枠を屋根ユニットに取り付けた後、天窓枠付きの屋根ユニットを工場から建築現場に運搬する場合などには、天窓枠を収納位置に移動させておくことで、その天窓枠が屋根ユニットの運搬の支障になりにくい状態にすることができる。このため、屋根ユニットの運搬に際して天窓枠や屋根ユニットが変形したり破損したりすることを抑制できる。しかも、天窓枠の移動が案内手段により案内されるため、工場において天窓枠を収納位置に移動させる作業や、建築現場において天窓枠を収納位置から突出位置に移動させる作業を容易化することができる。
【００１１】
以上により、屋根ユニットを用いて構築された天窓付きの屋根において、建築現場での作業負担を軽減することができ、しかも、屋根ユニットを好適に運搬することができる。
【００１２】
第２の発明では、第１の発明において、前記案内手段は、前記天窓枠を所定位置で保持する保持部（ウォーム５２の歯部５２ｃ、上側支持部材７１、下側支持部材７２）を有しており、該保持部が前記天窓枠を前記収納位置で保持する収納状態と、同保持部が前記天窓枠を前記収納位置とは異なる位置で保持する非収納状態とに移行可能である。
【００１３】
第２の発明によれば、案内手段を収納状態に移行させるという容易な作業により天窓枠を収納位置に配置できるため、工場において天窓枠を収納位置に仮設置する際の作業負担を低減できる。しかも、この場合、天窓枠は保持部により収納位置に保持されるため、屋根ユニットを工場から建築現場に運搬している最中に天窓枠が移動するということを抑制できる。したがって、屋根ユニットを適正な状態で運搬することができる。
【００１４】
第３の発明では、第２の発明において、前記案内手段の前記非収納状態には、前記保持部が前記天窓枠を前記突出位置で保持する突出状態が含まれている。
【００１５】
第３の発明によれば、保持部を突出状態に移行させるという容易な作業により天窓枠が突出位置に移動するため、屋根ユニットを建築現場に運搬した後、その建築現場において天窓枠を突出位置に設置する際の作業負担を低減できる。しかも、この場合、天窓枠は保持部により突出位置にて保持されるため、屋根ユニットに対する天窓枠の固定作業を容易化できる。
【００１６】
第４の発明では、第２又は第３の発明において、前記案内手段として、前記突出位置及び前記収納位置への前記天窓枠の移動方向に沿って延び、径方向に沿って外側に突出した歯部（歯部５２ｃ）を前記保持部として有するウォーム（ウォーム５２）が設けられており、前記天窓枠には、前記ウォームの前記歯部に噛み合っている噛み合い部（噛み合い部５３）が設けられており、前記天窓枠は、前記ウォームの回転に伴って前記噛み合い部が昇降することで、前記突出位置又は前記収納位置に移動するものである。
【００１７】
第４の発明によれば、ねじ歯車であるウォームを利用して天窓枠を昇降させる機構を構築することができる。この場合、天窓枠を持ち上げたり吊り下げたりしなくても、ウォームを回転させるという容易な作業を行うことで天窓枠が収納位置や突出位置に移動するため、工場や建築現場において天窓枠の高さ位置を設定する際の作業負担を低減できる。しかも、建築現場において天窓枠を突出位置に設定する場合には、ウォームの回転角度の増減量を小さくすることで、天窓枠の高さ位置の微調整を容易に行うことができる。
【００１８】
第５の発明では、第２又は第３の発明において、前記案内手段は、前記突出位置及び前記収納位置への前記天窓枠の移動方向に沿って延びている案内部材（案内部材６７）と、前記保持部として、前記天窓枠の下方位置に少なくとも一部が配置されることで該天窓枠を下方から支持することが可能な支持状態と、前記天窓枠の下方位置から退避することで前記天窓枠の移動を許可する許可状態とに移行可能な支持部材（上側支持部材７１、下側支持部材７２）と、を有しており、前記支持部材は、前記天窓枠が上方に向けて移動する場合に該天窓枠により下方から押し上げられることで前記支持状態から前記許可状態に移行し、同天窓枠が当該支持部材よりも高い位置に移動することで前記許可状態から前記支持状態に移行するものであり、前記支持部材として、前記天窓枠が前記収納位置にある場合に該天窓枠を前記支持状態で支持する下側支持部材（上側支持部材７１）と、前記下側支持部材より高い位置において、前記天窓枠が前記突出位置にある場合に該天窓枠を前記支持状態で支持する上側支持部材（下側支持部材７２）と、が設けられている。
【００１９】
第５の発明によれば、支持部材が天窓枠により押し上げられることで支持状態から許可状態に移行するため、作業者は、天窓枠を上昇させる際に支持部材をあらかじめ許可状態に移行させておくという作業を行う必要がない。また、天窓枠が支持部材を上方に通過した場合には、支持部材が勝手に許可状態から支持状態に戻るため、作業者は、天窓枠を支持部材の上に載せる際に支持部材を支持状態に戻すという作業を行う必要がない。したがって、天窓枠を案内手段の案内に従って上方に向けて移動させるという容易な作業を行うことで、その天窓枠を支持部材に引っ掛けることができる。
【００２０】
しかも、支持部材は、収納位置及び突出位置のそれぞれに対して個別に設けられているため、工場及び建築現場のいずれにおいても、天窓枠を上方に向けて移動させるという容易な作業を行うことで、その天窓枠を収納位置及び突出位置のそれぞれに配置することができる。また、いずれの位置においても、天窓枠を安定した状態で支持部材により保持することができる。
【００２１】
第６の発明では、第１乃至第５のいずれかの発明において、前記案内手段は、前記天窓枠の外周側に設けられ、前記突出位置及び前記収納位置への前記天窓枠の移動方向に沿って延びており、前記屋根面材には、前記案内手段に対する作業を可能とする作業用開口部（作業用開口部６１）が、上下方向において前記案内手段に並ぶ位置に設けられている。
【００２２】
第６の発明によれば、案内手段が天窓枠の外周側に配置されているため、案内手段が天窓枠の内周側に配置された構成とは異なり、天窓から取り込まれる太陽光等の自然光が案内手段により遮られるということを回避できる。
【００２３】
しかも、作業用開口部を通じて案内手段を屋根面材の上側に露出させることができるため、建築現場において屋根ユニットが設置された後、作業者は屋根面材の上にいながらにして天窓枠や案内手段に対する作業を行うことが可能となる。この場合、作業者は、屋根面材の上にいることで屋根面材に対する天窓枠の相対的な高さ位置を容易に目視できるため、天窓枠の高さ位置を適正に設定することができる。
【００２４】
なお、本発明を第４の発明に適用し、案内手段としてウォームが設けられていることが好ましい。この場合、作業用開口部を通じてウォームを屋根面材の上側に露出させることができるため、作業者は屋根面材の上にいながらにしてウォームの回転作業（天窓枠の高さ調整作業）を行うことができる。したがって、作業者は、ウォームを用いて天窓枠の高さ位置を微調整する際に、屋根面材の上面に対する天窓枠の上端部の相対的な高さ位置を実際に目視することができる。
【００２５】
第７の発明では、第６の発明において、前記屋根面材として、山部（山部４５ａ）と谷部（谷部４５ｂ）とが隣り合う折板屋根を形成する折板材（第１屋根面材４５）が設けられており、前記折板材の前記谷部においては、前記天窓枠側の端部が上方に向けて折り上げられていることで、前記天窓枠から遠ざかる側に向けて凹んだ折り上げ凹部（折り上げ凹部６４）が形成されており、前記折り上げ凹部の内周面と前記天窓枠の外周面とで囲まれた領域が前記作業用開口部を形成している。
【００２６】
第７の発明によれば、上方折板材の端部が折り上げられていることで、その折り上げられた部分においては、天窓枠との境界部から遠ざかる向きに雨水等が流れるため、上方折板材と天窓枠との境界部に雨水等が溜まるということを抑制できる。
【００２７】
しかも、上方折板材の端部が折り上げられることで形成された折り上げ凹部が作業用開口部として利用されているため、新規の貫通孔を折板材に形成しなくても作業用開口部を確保できる。このため、折板材に対して新たな加工を施すことなく、作業用開口部を利用して天窓枠の高さ位置を適正に設定するための構成を実現できる。
【００２８】
第８の発明では、第７の発明において、前記折り上げ凹部を跨いで前記折板材と前記天窓枠とに掛け渡された防水部材（防水部材４１）を備え、前記案内手段は、前記防水部材により上方から覆われている。
【００２９】
第８の発明によれば、折り上げ凹部に対する防水処理が防水部材により施されている構成において、防水部材により覆われる高さ位置に案内手段が配置されているため、案内手段に対して専用の防水処理を施す必要がない。したがって、天窓枠を昇降可能とした屋根について、防水処理に関する作業負担が増加することを抑制できる。
【００３０】
第９の発明では、第１乃至第８のいずれかの発明において、前記屋根ユニットは、横並びに複数設けられており、前記屋根においては、前記複数の屋根ユニットの各非設置領域が接続されることで屋根開口部（屋根開口部１９）が形成されており、隣り合う前記屋根ユニットの各非設置領域に設けられた前記天窓枠は、互いに連結されている。
【００３１】
第９の発明によれば、隣り合う天窓枠について、それぞれの高さ位置をウォームの回転により個別に微調整することができるため、それら天窓枠の高さ位置を容易に揃えることができる。したがって、隣り合う天窓枠が連結された構成を容易に実現することができる。
【００３２】
なお、本発明を第４の発明に適用することが好ましい。この場合、隣り合う天窓枠のそれぞれについて、高さ位置をウォームの回転によって微調整することができるため、これら天窓枠の高さ位置の関係を適正に設定することが容易になる。
【図面の簡単な説明】
【００３３】
【図１】建物の構成を示す図
【図２】建物の構成を示す分解斜視図
【図３】屋根フレームの斜視図
【図４】図１（ｂ）のＡ−Ａ線断面図
【図５】天窓枠周辺の斜視図
【図６】昇降機構の構成を示す図
【図７】天窓枠周辺の構成を示す図
【図８】屋根ユニットがトラックに積載された状態を示す図
【図９】別の昇降機構の構成を示す図
【発明を実施するための形態】
【００３４】
以下、本発明を具体化した一実施形態について図面を参照しつつ説明する。本実施形態では、本発明の屋根構造を、鉄骨軸組工法により構築された建物において具体化しており、この建物は、店舗や事務所などとして使用することが可能になっている。図１は建物１０の構成を示す図、図２は建物１０の構成を示す分解斜視図、図３は屋根フレーム２２の斜視図である。なお、図１においては、（ａ）に建物１０の斜視図を示し、（ｂ）に建物１０の平面図を示す。
【００３５】
図１（ａ）、図２に示すように、建物１０は、基礎１１の上に設けられた建物本体１２と、建物本体１２の上に設けられた屋根１３とを有している。建物本体１２は、略直方体形状とされており、その外壁１４により囲まれた屋内空間１５（図４参照）を有している。外壁１４には、窓部や出入口等の開口部が設けられており、その開口部には、ドアや窓サッシといった建具が設けられている。なお、建物１０の外周面のうち幅方向に延びる一側面が建物正面（ファサード）とされており、その正面側には、屋根１３に正面側に向けて突出した庇部が設けられている。
【００３６】
建物本体１２は、基礎１１に立設されている複数の柱１６と、それら柱１６の上端部同士を連結している大梁１７とを有している。柱１６には、ラチス柱と間柱とが含まれており、ラチス柱は、複数の柱部とそれら柱部を連結するラチス（補強材）とを含んで構成され、間柱は、角形鋼により形成されている。柱１６は、外壁１４と一体になっている壁付き柱とされており、外壁１４に沿って並べられている。大梁１７は、Ｈ形鋼により形成されており、各柱１６の上に設置されている。また、大梁１７は、外壁１４に沿って延びている。
【００３７】
なお、外壁１４において建物正面を形成する部分には、窓ガラスが横並びに複数設けられている窓ガラス領域があり、窓ガラス領域においては窓ガラスが嵌め殺し式とされている。窓ガラス領域においては、隣り合う窓ガラスの間に間柱が配置されている。
【００３８】
屋根１３は、陸屋根（フラットルーフ）とされており、建物１０の奥行き方向を傾斜方向とした水勾配を有している。屋根１３は、奥行き方向の中間部分が上方に向けて突出した形状になっており、その中間部分から正面側及び奥側のそれぞれに向けて下方に傾斜している。屋根１３の屋根面においては、正面側に向けて下方に傾斜した部分が第１屋根面１３ａとされ、奥側に向けて下方に傾斜した部分が第２屋根面１３ｂとされている。なお、図１（ａ）、図２においては、屋根面１３ａ，１３ｂが水勾配を有していることを明確に図示するために、水勾配の角度を実際よりも大きくしてある。
【００３９】
図１（ａ），（ｂ）に示すように、屋根１３には、太陽光等の自然光を屋内空間１５に取り込むことが可能な天窓１８が設けられている。天窓１８は、建物１０の幅方向に沿って延びている横長部分１８ａと、建物１０の奥行き方向に沿って延びている奥行き部分１８ｂとを有している。天窓１８は、屋根１３において第１屋根面１３ａを形成する部分に配置されている。天窓１８は、平面視コ字状とされており、横長部分１８ａは、第１屋根面１３ａと第２屋根面１３ｂとの境界部に沿って延び、奥行き部分１８ｂは、横長部分１８ａの両端のそれぞれから建物正面側に向けて延びている。
【００４０】
屋根１３には、上方に向けて開放された屋根開口部１９が設けられており、その屋根開口部１９に天窓枠２０が設けられていることで天窓１８が形成されている。天窓枠２０は、金属材料や合成樹脂材料などにより矩形枠状に形成されており、屋根開口部１９に沿って横並びに複数設けられている。例えば、横長部分１８ａの長手方向に沿って複数並べられているとともに、奥行き部分１８ｂの長手方向に沿って複数並べられている。天窓枠２０には、光透過性を有する透光パネルが嵌め込まれており、自然光は透光パネルを透過して屋内空間１５に取り込まれることになる。透光パネルは、ガラス材料や合成樹脂材料などにより形成された板材とされている。
【００４１】
屋根１３は、建物本体１２の上に設置された複数の屋根ユニット２１を有している。屋根ユニット２１は、直方体状に形成されており、その長手方向を建物１０の奥行き方向にした向きで、建物１０の幅方向に沿って横並びに複数設けられている。屋根ユニット２１は、外壁１４における建物正面側の部分と建物奥側の部分とに掛け渡された状態になっており、これら建物正面側の部分や建物奥側の部分に配置された大梁１７や柱１６により支持されている。
【００４２】
屋根ユニット２１は、直方体状の屋根フレーム２２と、その屋根フレーム２２の上に設けられた屋根面部２３とを有している。屋根ユニット２１においては、屋根面部２３の上面が屋根面とされており、屋根ユニット２１が建物本体１２の上に設置された状態で、屋根面１３ａ，１３ｂの両方を形成している。屋根フレーム２２の上には、屋根面部２３が両方とも設置されていない非設置領域２４が形成されており、この非設置領域２４に天窓枠２０が設けられている。
【００４３】
屋根１３においては、各屋根ユニット２１の非設置領域２４が接続されることで屋根開口部１９が形成されている。屋根開口部１９においては、屋根ユニット２１ごと（非設置領域２４ごと）に天窓枠２０が設置されていることになる。例えば、図１（ｂ）において右から４番目の屋根ユニット２１の非設置領域２４は、天窓１８の横長部分１８ａの一部を形成し、屋根ユニット２１を短手方向に横断しており、この非設置領域２４には１つの天窓枠２０が設けられている。また、右から３番目の屋根ユニット２１の非設置領域２４は、天窓１８の横長部分１８ａの一部及び奥行き部分１８ｂを形成し、平面視でＬ字状とされており、この非設置領域２４には、２つの天窓枠２０が屋根ユニット２１の長手方向に沿って並べて配置されている。
【００４４】
隣り合う天窓枠２０の境界部には、その境界部を上方から覆うカバー部材２５が設けられている（図５参照）。カバー部材２５は、屋根面部２３や屋根フレーム２２、天窓枠２０に対して固定されており、天窓枠２０同士の間の隙間を通じて建物１０内に雨水等が浸入することを規制している。この場合、カバー部材２５は、隣り合う天窓枠２０に掛け渡された状態になっており、それによって、それら天窓枠２０を連結している。また、隣り合う天窓枠２０は、カバー部材２５の他にもビス等の固定具により互いに連結されている。
【００４５】
図３に示すように、屋根フレーム２２は、長尺状の鋼材が複数組み合わされることで形成された立体トラスとされており、内部空間を有している。屋根フレーム２２は、その屋根フレーム２２の長手方向に沿って延びている長手トラス２７と、短手方向に沿って延びている短手トラス２８とを有している。長手トラス２７及び短手トラス２８は、互いに直交する平面トラスであり、これら長手トラス２７及び短手トラス２８を組み合わせることで屋根フレーム２２が立体トラスになっている。
【００４６】
屋根フレーム２２において、長手トラス２７は屋根フレーム２２の短手方向に沿って一対並べて設けられている。短手トラス２８は、屋根フレーム２２の長手方向に沿って複数並べて設けられており、各短手トラス２８は、一対の長手トラス２７を連結している。短手トラス２８は、一対の長手トラス２７の間に設けられており、それら長手トラス２７に掛け渡された状態になっている。
【００４７】
長手トラス２７及び短手トラス２８は、上下に対向配置された上弦材３１及び下弦材３２と、これら上弦材３１と下弦材３２とを連結する斜材３３とをそれぞれ有している。長手トラス２７及び短手トラス２８は、いずれも平行トラスとされている。長手トラス２７及び短手トラス２８のそれぞれにおいて、斜材３３は弦材３１，３２の延びている方向に沿って複数並べられており、各斜材３３は弦材３１，３２の間に設けられている。各斜材３３は、鉛直方向に対してそれら斜材３３が並ぶ方向に傾斜している。
【００４８】
なお、上弦材３１、下弦材３２及び斜材３３は、それぞれ鋼材としての溝形鋼により形成されており、それぞれの溝部の開放側を水平方向に向けて配置されている。長手トラス２７においては、上弦材３１、下弦材３２及び斜材３３の各溝部が屋根フレーム２２の短手方向を向いており、短手トラス２８においては、各溝部が屋根フレーム２２の長手方向を向いている。
【００４９】
長手トラス２７においては、下弦材３２が水平方向に延びている一方で、上弦材３１は、第１屋根面材４５に沿って傾斜しており、その傾斜角度は第１屋根面材４５（第１屋根面１３ａ）の傾斜角度と同じにされている。長手トラス２７の上弦材３１においては、建物奥側の端部が上端になり、建物奥側の端部が下端になっている。この場合、屋根フレーム２２においては、その長手方向が上弦材３１の傾斜している傾斜方向になり、長手トラス２７が傾斜トラスに相当する。なお、図３における上弦材３１の手前側端部が、建物奥側に配置される上端部になっている。
【００５０】
これに対して、短手トラス２８においては、上弦材３１及び下弦材３２がいずれも水平方向に延びている。短手トラス２８の上弦材３１は、一対の長手トラス２７の上弦材３１の間に設けられており、その端面が長手トラス２７の上弦材３１の側面に溶接等により固定されている。同様に、短手トラス２８の下弦材３２は、一対の長手トラス２７の下弦材３２の間に設けられており、その端面が長手トラス２７の下弦材３２の側面に溶接等により固定されている。なお、短手トラス２８は、長手トラス２７に直交する直交トラスに相当する。
【００５１】
長手トラス２７は、鉛直方向に延びている束材３４を有している。束材３４は、斜材３３と同様に、上弦材３１と下弦材３２とを連結するものであり、それら弦材３１，３２に沿って斜材３３と横並びに複数設けられている。また、束材３４は、屋根フレーム２２の短手方向において短手トラス２８に横並びに配置されている。長手トラス２７において、束材３４は屋根フレーム２２の長手方向の端部及び中間位置の両方に配置されている。屋根フレーム２２においては、一対の長手トラス２７の各束材３４の間に短手トラス２８が配置されており、短手トラス２８が長手トラス２７の束材３４により補強されている。なお、束材３４は、角形鋼により形成されている。
【００５２】
次に、屋根１３の天窓１８について、図４〜図７を参照しつつ説明する。図４は図１（ｂ）のＡ−Ａ線断面図、図５は天窓枠２０周辺の斜視図、図６は昇降機構５１の構成を示す図、図７は天窓枠２０周辺の構成を示す図である。なお、図４において、建物本体１２については柱１６等の躯体のみを図示し、屋根１３については斜材３３等の図示を省略している。図５においては、収納位置Ｎ２にある天窓枠２０を仮想線で図示する一方で、第１屋根面材４５の谷部４５ｂ、山部４５ａ、防水部材４１、一部のカバー部材２５の図示を省略している。図６においては、（ａ）に天窓枠２０が突出位置Ｎ１にある場合を示し、（ｂ）に天窓枠２０が収納位置Ｎ２にある場合を示す。図７においては、（ａ）に天窓枠２０周辺の平面図を示し、（ｂ）に第１屋根面材４５の斜視図を示す。また、図６（ａ）、図７（ａ）においては、防水部材４１の図示を省略している。
【００５３】
図４、図５に示すように、天窓枠２０は、屋根面部２３よりも上方に突出した状態で設けられている。天窓枠２０においては、その下端部が屋根開口部１９に上方から入り込んでおり、その上端部が屋根面部２３よりも高い位置に配置されている。この場合の天窓枠２０の高さ位置を突出位置Ｎ１と称する。
【００５４】
屋根１３には、天窓枠２０と屋根面部２３との境界部を跨いでそれら天窓枠２０と屋根面部２３とに掛け渡された防水部材４１が設けられている。防水部材４１は、防水性を有する板材やシート材などにより形成されており、天窓枠２０の周縁部に沿って延びている。この場合、防水部材４１は、天窓枠２０の上面と屋根面部２３の上面に接着剤等により接合されている。
【００５５】
建物１０においては、屋内空間１５は天井部（図示略）を有しており、その天井部の上方には天井裏空間４２が設けられている。天井裏空間４２は、屋根面部２３と天井部との間に形成されており、天井裏空間４２には、各屋根ユニット２１の内部空間が含まれている。屋内空間１５の天井部には、天窓１８（屋根開口部１９）の下方に天井開口部が形成されており、屋外の自然光が天窓１８及び天井開口部を通じて屋内空間１５に取り込まれるようになっている。この場合、天窓１８及び天井開口部がトップライトを構成していることになる。なお、天井裏空間４２には、天窓１８と屋根開口部とに掛け渡された屋根通路（図示略）が設けられている。
【００５６】
屋根１３においては、屋根面部２３の下側に屋根断熱部４３（図６（ａ）参照）が設けられている。屋根断熱部４３は、発泡系断熱材により板状に形成されており、屋根面部２３の下面に沿って延びている。なお、屋根面部２３は、スペーサを挟んで屋根フレーム２２の上に設置されていることで屋根フレーム２２から上方に離間しており、その離間部分に屋根断熱部４３が配置されている。この場合、屋根断熱部４３は、屋根フレーム２２の上面（トラス２７，２８の上面）に沿って延びていることになる。また、屋根断熱部４３は、屋根通路の外周面に沿って延びた状態で設けられている。
【００５７】
屋根ユニット２１において、屋根面部２３は、第１屋根面１３ａを形成する第１屋根面材４５と、第２屋根面１３ｂを形成する第２屋根面材４６とを有している。屋根面材４５，４６は、いずれも鋼板等の葺き材により形成されているが、第１屋根面材４５は、鋼板等が折り曲げられた折板材とされている一方で、第２屋根面材４６は、上下両面が平坦面を形成する平板材とされている。第１屋根面材４５においては、山部４５ａと谷部４５ｂとが交互に並べられており、それら山部４５ａや谷部４５ｂの折り目は、屋根ユニット２１の長手方向（第１屋根面１３ａの水勾配）に沿って延びている。
【００５８】
屋根面部２３は、屋根面材４５，４６が立体的に配置されていることで、それら屋根面材４５，４６を形成する葺き材の厚み寸法よりも大きい高さ寸法を有している。第１屋根面材４５については、山部４５ａの上面と谷部４５ｂの下面との離間距離が屋根面部２３の厚み寸法とされている。第２屋根面材４６は、その上端が第１屋根面材４５の山部４５ａの上端の延長線上に配置され、その下端が第１屋根面材４５の谷部４５ｂの下端の延長線上に配置されていることで、屋根面部２３の厚みを形成している。
【００５９】
天井裏空間４２は、屋根ユニット２１において、屋根フレーム２２と屋根面材４５，４６との間に形成された懐空間部４２ａを有している。懐空間部４２ａには、屋根ユニット２１と屋根面部２３との離間部分、屋根面部２３における第１屋根面材４５の山部４５ａの下側空間、及び屋根面部２３における第２屋根面材４６の下側空間が含まれている。この場合、懐空間部４２ａの有効高さ寸法は、鉛直方向において屋根面材４５，４６と屋根ユニット２１（上弦材３１）との離間距離になっている。なお、懐空間部４２ａの有効高さ寸法は、第１屋根面材４５の山部４５ａの下方部分の方が谷部４５ｂの下方部分に比べて大きくなっている。
【００６０】
建築現場において建物１０が構築される場合、屋根ユニット２１は工場にて製造された後、建築現場に運搬されて建物本体１２の上に設置される。ここで、天窓枠２０は、工場において屋根ユニット２１に取り付けられ、屋根ユニット２１は、天窓枠２０が取り付けられた状態で建築現場に運搬される。この場合、天窓枠２０が屋根面部２３よりも高い位置に突出した状態では、屋根ユニット２１の運搬に際して天窓枠２０が支障になることが懸念される。
【００６１】
これに対して、屋根ユニット２１には、天窓枠２０の昇降を可能とする昇降機構５１が設けられており、天窓枠２０は、昇降機構５１により昇降することで、突出位置Ｎ１とその突出位置Ｎ１より低い収納位置Ｎ２とに移動することが可能になっている。このため、屋根ユニット２１を工場から建築現場に運搬する際には天窓枠２０を収納位置Ｎ２に配置しておき、屋根ユニット２１を建築現場に運搬した後は天窓枠２０を突出位置Ｎ１に移動させることで、屋根ユニット２１及び天窓枠２０の工業化を図りつつ、屋根ユニット２１の運搬に際して天窓枠２０が支障になることを抑制できる。
【００６２】
天窓枠２０は、収納位置Ｎ２にある場合に屋根面部２３から上方に突出しない状態になっている。ここで、天窓枠２０の高さ寸法（例えば１３ｃｍ）は、屋根面部２３の厚み寸法（例えば２０ｃｍ）より小さくされている。このため、天窓枠２０は、突出位置Ｎ１にある場合はもちろんのこと、収納位置Ｎ２にある場合でも、屋根面部２３より下方に突出しない。つまり、懐空間部４２ａから下方に突出しない。したがって、屋根ユニット２１において、天窓枠２０は、突出位置Ｎ１及び収納位置Ｎ２のいずれにある場合でも、屋根フレーム２２に干渉しないようになっている。ちなみに、天窓枠２０が突出位置Ｎ１にある場合、屋根面部２３からの天窓枠２０の突出寸法（例えば１０ｃｍ）は、天窓枠２０の高さ寸法より小さくなっている。
【００６３】
図６（ａ），（ｂ）、図７（ａ）に示すように、昇降機構５１は、天窓枠２０の昇降方向に沿って延びているウォーム５２と、ウォーム５２に噛み合っている噛み合い部５３と、天窓枠２０の昇降方向を案内するレール部５４とを有している。噛み合い部５３は、天窓枠２０に設けられており、天窓枠２０は、ウォーム５２の回転に伴って噛み合い部５３と共に昇降することになる。ウォーム５２は、非設置領域２４において屋根面部２３と天窓枠２０との間に配置されており、天窓枠２０の移動を案内する案内手段に相当する。
【００６４】
ウォーム５２は、長尺状のネジ歯車であり、回転軸が上下方向（例えば鉛直方向）に延びた状態で屋根フレーム２２に対して回動可能に固定されている。ウォーム５２は、屋根フレーム２２の上弦材３１に固定された支持ブラケットにより支持されており、天窓枠２０に横並びに配置されている。具体的には、屋根ユニット２１の長手方向において天窓枠２０に対して上弦材３１の下端側であり、且つ屋根ユニット２１の短手方向において天窓枠２０の中央位置に配置されている。
【００６５】
噛み合い部５３は、天窓枠２０の昇降方向に沿って延びている長尺状のベース部５３ａと、ベース部５３ａの長手方向に沿って並べられた複数の歯部５３ｂとを有しており、各歯部５３ｂをウォーム５２側に向けた状態で、天窓枠２０の外周面に取り付けられている。ウォーム５２及び噛み合い部５３は、互いに噛み合った状態で天窓枠２０を突出位置Ｎ１及び収納位置Ｎ２の両方に移動させることが可能な長さ寸法（上下寸法）をそれぞれ有している。
【００６６】
ウォーム５２及び噛み合い部５３は、互いに噛み合った状態であれば、天窓枠２０を突出位置Ｎ１及び収納位置Ｎ２にて保持することはもちろんのこと、これら突出位置Ｎ１と収納位置Ｎ２との間の中間位置や、突出位置Ｎ１よりも高い位置、収納位置Ｎ２よりも低い位置にて保持することも可能になっている。
【００６７】
レール部５４は、上下方向（例えば鉛直方向）に延びており、屋根フレーム２２に対して固定されている。レール部５４は、屋根フレーム２２の上弦材３１に固定された支持ブラケットにより支持されており、ウォーム５２と同様に、天窓枠２０に横並びに配置されている。具体的には、屋根ユニット２１の長手方向において天窓枠２０の両側方のそれぞれに複数ずつ配置されており、上弦材３１の下端側においては、隣り合うレール部５４の間にウォーム５２が配置されている。この場合、各レール部５４は、ウォーム５２の回転に伴って天窓枠２０が昇降する際に、その天窓枠２０が昇降方向に対して傾くことを抑制することができる。
【００６８】
天窓枠２０には、レール部５４に引っ掛かっている引っ掛け部５５が設けられており、天窓枠２０は、引っ掛け部５５がレール部５４に引っ掛かったままそのレール部５４に沿って上下方向に移動可能になっている。
【００６９】
天窓枠２０は、突出位置Ｎ１において屋根フレーム２２やレール部５４に対して固定されている。例えば、天窓枠２０は、ウォーム５２による位置保持の他に、レール部５４に対してビス等により固定されることや、連結部材等を用いて屋根フレーム２２の上弦材３１等に連結されることなどにより位置保持されている。
【００７０】
屋根ユニット２１においては、作業者が屋根面部２３の上に乗った状態で、ウォーム５２を回転させる作業（天窓枠２０を昇降させる作業）を屋根面部２３の上方から行うことができるようになっている。ここで、ウォーム５２は、螺旋状の溝部（雄ネジ部）が形成されたウォーム軸部５２ａと、ウォーム軸部５２ａの一端に設けられたウォーム頭部５２ｂとを有しており、ウォーム頭部５２ｂが上端になる向きで配置されている。また、屋根面部２３には、上下方向においてウォーム５２に並ぶ位置に作業用開口部６１が設けられている。これにより、作業者は作業用開口部６１に手や工具を挿し入れることで、ウォーム頭部５２ｂを把持して回転させることが可能となる。
【００７１】
ウォーム軸部５２ａには、その径方向に沿って外側に突出した歯部５２ｃが設けられている。歯部５２ｃは、ウォーム軸部５２ａの外周面に沿って螺旋状に延びており、歯部５２ｃにおいて上下に並ぶ部分が螺旋状の溝部を形成している。ウォーム５２においては、歯部５２ｃが噛み合い部５３の歯部５３ｂに噛み合っている。
【００７２】
なお、ウォーム５２の歯部５２ｃが保持部に相当し、ウォーム５２について、天窓枠２０を収納位置Ｎ２に保持している状態が収納状態に相当し、天窓枠２０を突出位置Ｎ１に保持している状態が突出状態に相当する。また、ウォーム５２について、天窓枠２０を収納位置Ｎ２とは異なる位置に保持している状態が非収納状態に相当し、突出状態は非収納状態の一種とされている。
【００７３】
図７（ｂ）に示すように、第１屋根面材４５は、谷部４５ｂの端部が上方に折り上げられた折り上げ板部６３を有している。折り上げ板部６３は、平面視で第１屋根面材４５の内側に向けて凹んだ折り上げ凹部６４を形成している。折り上げ板部６３は、谷部４５ｂの幅方向に沿って延びている短手部分６３ａと、その短手部分６３ａと山部４５ａの端部とに斜めに掛け渡された斜め部分６３ｂとを有しており、これら短手部分６３ａ及び斜め部分６３ｂは、平面視において谷部４５ｂの上側空間と折り上げ凹部６４の内側空間とを仕切っている。短手部分６３ａと斜め部分６３ｂの上端部は、山部４５ａの頂部（上端部）とほぼ同じ高さ位置に配置されている。
【００７４】
図７（ａ）に示すように、折り上げ板部６３（折り上げ凹部６４）は、第１屋根面材４５における天窓枠２０に沿って延びている端部において、各谷部４５ｂのそれぞれに対して設けられている。この場合、屋根ユニット２１の短手方向において、複数の折り上げ凹部６４が横並びに配置されており、これら折り上げ凹部６４のうち中間位置に配置された折り上げ凹部６４が作業用開口部６１を形成している。作業用開口部６１は、折り上げ凹部６４と天窓枠２０との間に形成されており、作業用開口部６１には、折り上げ凹部６４の内部空間と、折り上げ凹部６４と天窓枠２０との間の隙間とが含まれている。ここで、防水部材４１は、作業用開口部６１を跨いで天窓枠２０と第１屋根面材４５の折り上げ板部６３とに掛け渡されている部分を有しており、この部分は、第１屋根面材４５の短手部分６３ａ及び斜め部分６３ｂにおける谷部４５ｂ側の板面に張り付けられている。
【００７５】
ウォーム５２は、下方から作業用開口部６１に入り込んだ高さ位置に配置されている。ウォーム５２の上端部は、谷部４５ｂの底部と山部４５ａの頂部との間の高さ位置に配置されている。この場合、ウォーム５２は、折り上げ板部６３より上方には突出しておらず、防水部材４１のうち、作業用開口部６１を跨いで天窓枠２０と折り上げ板部６３とに掛け渡された部分により上方から覆い隠された状態になっている。ちなみに、ウォーム５２の下端部は、谷部４５ｂの底部より低い位置に配置されている。
【００７６】
次に、屋根１３の構築手順について図８を参照しつつ説明する。図８は、屋根ユニット２１がトラックＴに積載された状態を示す図である。なお、図８においては、（ａ）にトラックＴを側面から見た図を示し、（ｂ）にトラックＴを背面から見た図を示す。
【００７７】
建築現場において建物本体１２を構築し、工場にて製造した屋根ユニット２１を建物本体１２の上に設置する。工場においては、製造した屋根ユニット２１に昇降機構５１及び天窓枠２０を取り付け、ウォーム５２の回転作業を行うことで天窓枠２０を収納位置Ｎ２に配置しておく。ちなみに、屋根面部２３には、天窓枠２０と屋根面材４５，４６との間の隙間を上方から覆う養生シートを仮で取り付けておく。
【００７８】
その後、屋根ユニット２１を昇降機構５１及び天窓枠２０ごとトラックＴに積んで、工場から建築現場に運搬する。トラックＴの荷台Ｔ１には、３個の屋根ユニット２１を積載することが可能になっている。トラックＴは、荷台Ｔ１を挟んで立設された支柱Ｔ２と、トラックＴの幅方向において隣り合う支柱Ｔ２に掛け渡された横架材Ｔ３とを有している。横架材Ｔ３は、上下２段に配置されており、各段においてトラックＴの長さ方向に複数並べられている。荷台Ｔ１においては、その荷台Ｔ１の積載面と１段目（下側）の横架材Ｔ３との間のスペース、１段目と２段目（上側）との間のスペース、２段目の上側のスペースが、それぞれ屋根ユニット２１が積載される積載スペースになっている。
【００７９】
屋根ユニット２１においては、水勾配を有していることに起因して、長手方向の一方の端部（高端部という）の高さ寸法が他方の端部（低端部という）の高さ寸法より大きくされており、上下に隣り合う屋根ユニット２１は、高端部と低端部とが上下に並ぶ向きで積載されている。なお、屋根ユニット２１は、屋根面部２３を上側にした向きで積載されている。
【００８０】
また、上下に隣り合う屋根ユニット２１の離間距離は、天窓枠２０が突出位置Ｎ１にある場合の屋根面部２３からの天窓枠２０の突出寸法よりも小さくなっており、天窓枠２０が突出位置Ｎ１にある状態で屋根ユニット２１をトラックＴに積載すると、天窓枠２０が隣の屋根ユニット２１やトラックＴの積載面などに接触して、屋根ユニット２１を適正な状態で積載できないことが懸念される。これに対して、天窓枠２０が収納位置Ｎ２に配置されている場合には、その天窓枠２０が屋根面部２３から上方に突出していないため、天窓枠２０が支障になって屋根ユニット２１を適正な状態で積載できないという事態を回避できる。
【００８１】
屋根ユニット２１を建築現場に運搬し、建物本体１２の上に設置した後、ウォーム５２を回転させることで天窓枠２０を突出位置Ｎ１まで上昇させる。そして、作業用開口部６１を通じてウォーム５２を回転させることで、隣り合う屋根ユニット２１の天窓枠２０同士の高さ位置を微調整する。その後、天窓枠２０を屋根フレーム２２やレール部５４に対して固定し、隣り合う天窓枠２０の境界部に対してカバー部材２５を取り付ける。さらに、天窓枠２０と屋根面部２３との境界部に対して防水部材４１を取り付けることで、その防水部材４１により作業用開口部６１を上方から覆い隠す。
【００８２】
以上詳述した本実施形態によれば、以下の優れた効果が得られる。
【００８３】
屋根ユニット２１については、運搬時に天窓枠２０を収納位置Ｎ２に移動させておくことで、屋根ユニット２１の運搬に際して天窓枠２０や屋根ユニット２１が変形したり破損したりすることを抑制できる。しかも、天窓枠２０の移動がウォーム５２により案内されるため、工場において天窓枠２０を収納位置Ｎ２に移動させる作業や、建築現場において天窓枠２０を突出位置Ｎ１に移動させる作業を容易化できる。したがって、屋根ユニット２１を用いて構築された天窓１８付きの屋根１３において、建築現場での作業負担を軽減することができ、しかも、屋根ユニット２１を好適に運搬することができる。
【００８４】
ウォーム５２を回転させることでそのウォーム５２の状態を移行させるという容易な作業により天窓枠２０が昇降するため、工場において天窓枠２０を収納位置Ｎ２に仮設置する際の作業負担や、建築現場において天窓枠２０を突出位置Ｎ１に本設置する際の作業負担を低減できる。しかも、天窓枠２０はウォーム５２により位置保持されるため、屋根ユニット２１の運搬時等において天窓枠２０が収納位置Ｎ２から意図せずに移動するということや、建築現場において天窓枠２０を屋根ユニット２１に対して固定する際の作業負担が大きくなることを抑制できる。さらに、ウォーム５２の回転角度の増減量を小さくすることで、天窓枠２０の高さ位置の微調整を容易に行うことができる。
【００８５】
ウォーム５２が天窓枠２０の外周側に配置されているため、例えばウォーム５２が天窓枠２０の内周側に配置された構成とは異なり、天窓１８から取り込まれる自然光がウォーム５２により遮られるということを回避できる。しかも、建物１０の構築に際して、屋根１３において防水部材４１が設けられていない状態では、ウォーム５２が作業用開口部６１を通じて屋根上に露出するため、作業者は屋根面部２３の上にいながらにしてウォーム５２の回転作業を行うことができる。この場合、作業者は、屋根面部２３の高さ位置に対する天窓枠２０の相対的な高さ位置を容易に目視できるため、天窓枠２０の高さ位置を適正に設定することができる。
【００８６】
屋根面部２３においては、第１屋根面材４５の折り上げ凹部６４により作業用開口部６１が形成されているため、新規の貫通孔を屋根面材４５，４６に形成しなくても作業用開口部６１を確保できる。このため、第１屋根面材４５に対して新たな加工を施すことなく、作業用開口部６１が屋根面部２３に設けられた構成を実現できる。なお、第１屋根面においては、折り上げ板部６３により折り上げ凹部６４が形成されていることで、折り上げ凹部６４に沿って雨水等が谷部４５ｂに向けて流れるため、天窓枠２０と第１屋根面材４５の谷部４５ｂとの境界部に雨水等が溜まるということを抑制できる。
【００８７】
防水部材４１がウォーム５２ごと作業用開口部６１を上方から覆っているため、ウォーム５２に対して専用の防水処理を施す必要がない。したがって、ウォーム５２を用いた昇降機構５１が屋根１３に設けられていても、防水処理に関する作業負担が増加することを抑制できる。
【００８８】
各屋根ユニット２１のそれぞれについて、ウォーム５２を回転させることで天窓枠２０の高さ位置を個別に調整できるため、隣り合う屋根ユニット２１の天窓枠２０をカバー部材２５等を用いて容易に連結することができる。
【００８９】
［他の実施形態］
本発明は上記実施形態の記載内容に限定されず、例えば次のように実施されてもよい。
【００９０】
（１）上記実施形態では、作業用開口部６１が折板材の折り上げ板部６３により形成されていたが、作業用開口部６１は、第１屋根面材４５や第２屋根面材４６の中間部分に形成された貫通孔とされていてもよい。
【００９１】
（２）上記実施形態では、屋根ユニット２１において、作業用開口部６１が屋根面部２３に設けられていたが、作業用開口部６１は天井部に設けられていてもよい。この場合、作業者は天井裏空間４２に入り込まなくても、屋内空間１５にいながらにして作業用開口部６１を通じてウォーム５２の回転作業を行うことができる。
【００９２】
（３）昇降機構５１において、保持部を有する案内手段としては、ウォーム５２に代えて、図９（ａ），（ｂ）に示すように案内ユニット６６が設けられていてもよい。案内ユニット６６は、天窓枠２０の昇降方向を案内する案内部材６７と、この案内部材６７に取り付けられた支持部材７１，７２とを有しており、上下方向において作業用開口部６１に重なる位置に配置されている。案内部材６７は、レール部５４と平行に延びており、天窓枠２０の引っ掛け部５５等に引っ掛かった状態になっている。この場合、天窓枠２０は、レール部５４に加えて、案内部材６７に引っ掛かった状態で昇降することになる。
【００９３】
支持部材７１，７２は、少なくとも一部が天窓枠２０の下方位置に配置されることでその天窓枠２０を下方から支持する支持状態と、天窓枠２０の下方位置から退避することでその天窓枠２０の昇降を許可する許可状態に移行可能とされており、支持状態においては、天窓枠２０の下方への移動を規制することになる。支持部材７１，７２は、案内部材６７に対して回動可能に軸支され、その回動軸は、天窓枠２０と第１屋根面材４５との境界部（天窓枠２０の枠部の幅方向）に沿って延びている。支持部材７１，７２は、支持状態にある場合に、その一端が上下方向において天窓枠２０に重なる位置に突出しており、その突出部分が上方に移動する向きで回動することで許可状態に移行し、許可状態にある場合には、天窓枠２０に上下に重なる位置には突出しない。
【００９４】
支持部材７１，７２のうち、上側支持部材７１は、支持状態にあることで天窓枠２０を突出位置Ｎ１に保持することが可能であり、下側支持部材７２は、上側支持部材７１の下方位置に配置され、支持状態にあることで天窓枠２０を収納位置Ｎ２に保持することが可能になっている。なお、支持部材７１，７２が保持部に相当する。
【００９５】
支持部材７１，７２は、支持状態にある場合にストッパ７３，７４に引っ掛かっており、それによって、その支持部材７１，７２の上に天窓枠２０が載っても支持状態で保持されるようになっている。ストッパ７３，７４のうち、上側ストッパ７３は、上側支持部材７１が引っ掛かる位置に配置され、下側ストッパ７４は、下側支持部材７２が引っ掛かる位置に配置されている。ストッパ７３，７４は、案内部材６７に取り付けられており、支持部材７１，７２における天窓枠２０が載らない方の端部に引っ掛かるようになっている。
【００９６】
なお、案内ユニット６６については、下側支持部材７２が天窓枠２０を収納位置Ｎ２に保持している状態が収納状態に相当し、上側支持部材７１が天窓枠２０を突出位置Ｎ１に保持している状態が突出状態に相当する。また、支持部材７１，７２の状態に関係なく、収納状態とは異なる状態が非収納状態に相当し、突出状態は非収納状態の一種になっている。
【００９７】
支持部材７１，７２は、支持状態にて保持される向きでバネ等の付勢部材（図示略）により付勢されており、天窓枠２０を支持していない状態でも許可状態にて保持される。付勢部材は、引きバネとされており、支持部材７１，７２におけるストッパ７３，７４に引っ掛かる方の端部とストッパ７３，７４とに掛け渡された状態で設けられている。したがって、支持部材７１，７２は、一端が天窓枠２０により下方から押し上げられることで、付勢部材の付勢力に抗して支持状態から許可状態に移行し、天窓枠２０による押し上げが解除されると、付勢部材の付勢力により許可状態から再び支持状態に戻ることになる。
【００９８】
なお、支持部材７１，７２が天窓枠２０により下方から押し上げられていない状態では、その支持部材７１，７２が自重により支持状態に移行する構成とされていてもよい。例えば、支持部材７１，７２の長手方向において、両端のうち一端寄りの位置に回動軸が配置され、回動軸から遠い方の端部が天窓枠２０の下方側に移動し、回動軸から近い方の端部がストッパ７３，７４に引っ掛かる構成とする。この構成では、支持部材７１，７２が天窓枠２０により押し上げられて許可状態に移行した場合、支持部材７１，７２においてはその上端が回動軸より天窓枠２０側に配置された状態になっている。これらの構成とすることで、支持部材７１，７２が自重により支持状態に移行する構成を実現できる。
【００９９】
支持部材７１，７２が設けられた屋根ユニット２１については、工場において天窓枠２０を組み付ける場合、その天窓枠２０を下側支持部材７２よりも低い位置からレール部５４に沿って収納位置Ｎ２まで移動させることが好ましい。これは、単に天窓枠２０を収納位置Ｎ２に向けて上昇させることで、下側支持部材７２は天窓枠２０に押し上げられることで許可状態に移行する一方で、天窓枠２０が下側支持部材７２よりも高い位置に到達すると、下側支持部材７２は天窓枠２０による押し上げが解除されて支持状態に戻るためである。したがって、下側支持部材７２が支持状態に戻った後に、その下側支持部材７２の上に天窓枠２０を載せるという容易な作業により、天窓枠２０を収納位置Ｎ２に設置することができる。
【０１００】
屋根ユニット２１を天窓枠２０ごと建築現場に運搬した後は、単に天窓枠２０を収納位置Ｎ２から突出位置Ｎ１に向けて上方に移動させることで、その天窓枠２０を突出位置Ｎ１に設置することができる。これは、天窓枠２０を収納位置Ｎ２に設置した場合と同様に、天窓枠２０で上側支持部材７１を押し上げながらその天窓枠２０を上側支持部材７１より高い位置まで移動させることで、許可状態に移行した上側支持部材７１が再び支持状態に戻るためである。
【０１０１】
なお、支持部材７１，７２は、上下方向に回動する構成ではなく、水平方向に回動する構成や、天窓枠２０の昇降方向とは異なる方向に直線的に移動する構成とされていてもよい。この場合、天窓枠２０で押し上げることで支持部材７１，７２が支持状態から許可状態に移行する構成は実現できなくても、作業者が支持部材７１，７２を支持状態と許可状態に移行させる作業を行うことはできる。
【０１０２】
また、屋根ユニット２１においては、上側支持部材７１が設けられていなくても、下側支持部材７２さえ設けられていれば、工場において天窓枠２０を収納位置Ｎ２にて仮に設置する作業を容易化できる。
【０１０３】
（４）昇降機構５１は、リンク機構や伸縮アーム、油圧ジャッキを有していてもよい。この場合でも、昇降機構５１が、天窓枠２０を突出位置Ｎ１や収納位置Ｎ２にて保持する機能を有していることが好ましい。
【０１０４】
（５）上記実施形態において、天窓枠２０は、突出位置Ｎ１にある場合でも屋根面部２３の非設置領域２４に上方から入り込んだ状態になっていたが、天窓枠２０は、突出位置Ｎ１にある場合に非設置領域２４（屋根面部２３）から上方に離間した高さ位置に配置されていてもよい。また、天窓枠２０は、収納位置Ｎ２にある場合に、屋根面部２３から上方に突出しない状態になっているのではなく、屋根面部２３から上方に突出した状態になっていてもよい。
【０１０５】
（６）上記実施形態では、ウォーム５２及びレール部５４の両方が設けられていたが、案内手段としては、ウォーム５２及びレール部５４のうち少なくとも一方が設けられていればよい。例えば、ウォーム５２及び噛み合い部５３が設けられていなくても、レール部５４さえ設けられていれば、このレール部５４により突出位置Ｎ１及び収納位置Ｎ２への天窓枠２０の移動を案内することはできる。この場合、天窓枠２０は、収納位置Ｎ２にて仮固定され、突出位置Ｎ１にてビス等によりレール部５４に固定されることになる。
【符号の説明】
【０１０６】
１０…建物、１２…建物本体、１９…屋根開口部、２０…天窓枠、２１…屋根ユニット、２２…屋根フレーム、２４…非設置領域、４１…防水部材、４５…屋根面材及び折板材としての第１屋根面材、４５ａ…山部、４５ｂ…谷部、４６…屋根面材としての第２屋根面材、５２…案内手段としてのウォーム、５２ｃ…保持部としての歯部、５３…噛み合い部、６１…作業用開口部、６４…折り上げ凹部、６６…案内手段としての案内ユニット、６７…案内部材、７１…保持部及び支持部材としての上側支持部材、７２…保持部及び支持部材としての下側支持部材、Ｎ１…突出位置、Ｎ２…収納位置。
【図１】
2015151742.tif 000003
【図２】
2015151742.tif 000004
【図３】
2015151742.tif 000005
【図４】
2015151742.tif 000006
【図５】
2015151742.tif 000007
【図６】
2015151742.tif 000008
【図７】
2015151742.tif 000009
【図８】
2015151742.tif 000010
【図９】
2015151742.tif 000011